(57)【要約】【課題】集塵性能に優れたアップライト型電気掃除機を提供する。【解決手段】回転ブラシ６を内蔵する吸込口体５と、側面に吸込口体５が回動自在に軸支されるとともに集塵室３と電動送風機２と車輪１１を配した掃除機本体１からなるアップライト型電気掃除機において、吸込口体５の外周に設けられた鍔状リブ１５と、吸込口体５の側面に位置する軸部１６を中心に回動する枠体１４と、掃除機本体１下部に設けたバネ部材１７とを有し、枠体１４がバネ部材１７に当接して鍔状リブ１５に荷重をかけるようにしたもので、吸込口体５全体を絨毯に押し付け回転ブラシ６の植毛を絨毯内に入り込ませ塵埃をかき出し、電動送風機２の吸引力を低下させずに、集塵性能を向上させ、性能をよくすることができる。【選択図】図２
2014100278.tif 000002
【特許請求の範囲】
【請求項１】
回転ブラシを内蔵する吸込口体と、側面に前記吸込口体が回動自在に軸支されるとともに集塵室と電動送風機と車輪を配した掃除機本体からなるアップライト型電気掃除機において、前記吸込口体の外周に設けられた鍔状リブと、前記吸込口体の側面に位置する軸部を中心に回動する枠体と、前記掃除機本体下部に設けたバネ部材とを有し、前記枠体が前記バネ部材に当接して前記鍔状リブに荷重をかけるようにしたアップライト型電気掃除機。
【請求項２】
枠体を、軟質部材で覆った板金部材で構成した請求項１に記載のアップライト型電気掃除機。
【請求項３】
枠体に当接するバネ部材を複数設けた請求項１又は２に記載のアップライト型電気掃除機。
【発明の詳細な説明】
【技術分野】
【０００１】
本発明は、吸込口体に回転ブラシを配したアップライト型電気掃除機に関するものである。
【背景技術】
【０００２】
従来のこの種のアップライト型電気掃除機として、掃除機本体内に電動送風機を内蔵し、掃除機本体下部に車輪を配し、吸込口体を掃除機本体の両側面で軸支している。また、掃除機本体内に内蔵した電動送風機の回転をベルトにて吸込口体に回転自在に軸支された回転ブラシに伝達し、回転させ、絨毯内の塵埃をかき出すように構成されている。吸込口体のベルトと反対側にはホースを配しており、かき上げた塵埃を、掃除機本体内の集塵袋に電動送風機の吸引力で運びこむようになっている。また、近年では、本体内の電動送風機を使わずに吸込口体内にモータを配し、ベルトで回転ブラシを回し、塵埃をかき上げるようにしているものもある（例えば、特許文献１、２参照）。
【先行技術文献】
【特許文献】
【０００３】
【特許文献１】特開昭５４−７８８６２号公報
【特許文献２】特開平８−６６３３８号公報
【発明の概要】
【発明が解決しようとする課題】
【０００４】
上記特許文献１、２に開示された従来のアップライト型掃除機は上記のように構成されていたが、近年、市場要望、使用環境の変化もあり、製品自体、吸込口体も軽くなってきた。特に吸込口体では、回転ブラシ自体が小さく細く、また、材料が板金から木材、また、吸込口体の肉厚も薄くなり、軽くなってきた。また、電動送風機の回転数を上げることで能力を上げ、このことで回転ブラシの回転数も上がり、絨毯の内部に回転ブラシの植毛が入り込んでいれば、入り込む回数も増えるため集塵性能は上がるが、逆に回転ブラシの回転数が上がることにより絨毯内部に入り込まず、表面を払うのと、また、植毛が絨毯内に入り込まないために、吸込口体が絨毯から浮き上がり電動送風機の吸引力が漏れ、集塵性能が低下するという課題があった。
【０００５】
本発明は、上記従来の課題を解決するもので、掃除機本体の回動によりバネ部材を圧縮し、この荷重を枠体に伝達し、鍔状リブを押すことで吸込口体を絨毯に押し付け回転ブラシの植毛を絨毯内に確実に入り込ませ塵埃をかき出し、電動送風機の吸引力を低下させずに集塵性能を向上させ、性能の良いアップライト型電気掃除機を提供することを目的とする。
【課題を解決するための手段】
【０００６】
上記従来の課題を解決するために、本発明のアップライト型電気掃除機は、回転ブラシを内蔵する吸込口体と、側面に前記吸込口体が回動自在に軸支されるとともに集塵室と電動送風機と車輪を配した掃除機本体からなるアップライト型電気掃除機において、前記吸込口体の外周に設けられた鍔状リブと、前記吸込口体の側面に位置する軸部を中心に回動する枠体と、前記掃除機本体下部に設けたバネ部材とを有し、前記枠体が前記バネ部材に当接して前記鍔状リブに荷重をかけるようにしたもので、吸込口体全体を絨毯に押し付け回転ブラシの植毛を絨毯内に入り込ませ塵埃をかき出し、電動送風機の吸引力を低下させずに、集塵性能を向上させ、性能をよくすることができる。
【発明の効果】
【０００７】
本発明のアップライト型電気掃除機は、吸込口体の外周に設けた鍔状リブに枠体にて荷重をかける構成にしたことで、吸込口体全体を絨毯に押し付け回転ブラシの植毛を絨毯内に入り込ませ塵埃をかき出し、電動送風機の吸引力を低下させずに集塵性能を向上させ、性能のよいアップライト型電気掃除機を提供する。
【図面の簡単な説明】
【０００８】
【図１】本発明の実施の形態１におけるアップライト型電気掃除機の全体構成を示す斜視断面図
【図２】（ａ）アップライト型電気掃除機のスタンディング状態時の部分概略透視図、（ｂ）同アップライト型電気掃除機の使用時の部分概略透視図
【図３】本発明の実施の形態２におけるアップライト型電気掃除機の要部断面図
【図４】本発明の実施の形態３におけるアップライト型電気掃除機の吸込口体の要部斜視図
【発明を実施するための形態】
【０００９】
第１の発明は、回転ブラシを内蔵する吸込口体と、側面に前記吸込口体が回動自在に軸支されるとともに集塵室と電動送風機と車輪を配した掃除機本体からなるアップライト型電気掃除機において、前記吸込口体の外周に設けられた鍔状リブと、前記吸込口体の側面に位置する軸部を中心に回動する枠体と、前記掃除機本体下部に設けたバネ部材とを有し、前記枠体が前記バネ部材に当接して前記鍔状リブに荷重をかけるようにしたもので、吸込口体全体を絨毯に押し付け回転ブラシの植毛を絨毯内に入り込ませ塵埃をかき出し、電動送風機の吸引力を低下させずに、集塵性能を向上させ、性能をよくすることができる。
【００１０】
第２の発明は、特に、第１の発明の枠体を、軟質部材で覆った板金部材で構成したもので、枠体が家具等に当っても傷がつかないバンパーの役目をさせることができ、また、内部を板金にして荷重がかかっても変形せず、確実に荷重を伝えることができる。
【００１１】
第３の発明は、特に、第１または第２の発明の枠体に当接するバネ部材を複数設けたもので、さらに大きな荷重を加えることができ、集塵性能を向上安定させることができる。
【００１２】
以下、本発明の実施の形態について、図面を参照しながら説明する。なお、この実施の形態によって本発明が限定されるものではない。
【００１３】
（実施の形態１）
図１は、本発明の実施の形態１におけるアップライト型電気掃除機の全体構成を示す斜視断面図、図２（ａ）は、アップライト型電気掃除機のスタンディング状態時の部分概略透視図、図２（ｂ）は、同アップライト型電気掃除機の使用時の部分概略透視図である。
【００１４】
図１、２において、本実施の形態におけるアップライト型電気掃除機の吸込口体５は吸込口体上部材１２と吸込口体下部材１３とで構成され、回転自在の回転ブラシ６を内蔵している。回転ブラシ６には植毛１８が付いており、植毛１８が、掃除の際に絨毯内に入り込み塵埃を絨毯からかき出す。
【００１５】
掃除機本体１の側面に吸込口体５は回動自在に軸支されており、掃除機本体１内の電動送風機２のシャフト（図示せず）と回転ブラシ６間にはベルト（図示せず）が張架されている。通常の軸支位置１９は、電動送風機２の中心と同じになっている。掃除機本体１には集塵室３があり、電動送風機２の吸引により、吸込口体５内の機内ホース（図示せず）に掃除機本体１からのホース７が繋がり塵埃を集塵室３に送り込んでいる。
【００１６】
電気掃除機を運転するときに掴む本体ハンドル４が、掃除機本体１の上部に設けられている。電源コード８は、掃除機本体１から出て、本体ハンドル４のコード掛け９にて保持されるようになっている。本体スイッチ１０は、電動送風機２をＯＮ−ＯＦＦをさせるためのものである。掃除機本体１の下方には車輪１１が回転自在に配されている。枠体１４は、吸込口体上部材１２から鍔状リブ１５に当っており、枠体１４の途中には、軸部１６があり、枠体１４が、吸込口体上部材１２上で軸部１６を中心に回動できるように取り付けられている。
【００１７】
掃除機本体１には、バネ部材１７を配し、バネ部材１７の一端は掃除機本体１に保持され、他端は枠体１４に当接している。
【００１８】
図２（ａ）は、電気掃除機のスタンディング状態、図２（ｂ）は、電気掃除機の使用状態を表している。
【００１９】
上記構成において動作を説明する。図２（ａ）スタンディング状態では、通常収納状態であり、この状態では吸込口体５内の回転ブラシ６の植毛１８は床面には当らない状態となっている。このため、この状態で使用者が製品を放置しても、絨毯には基本的にダメージを与えない。また、枠体１４には掃除機本体１のバネ部材１７から下から上への荷重を受け、軸部１６により上から下への荷重に換え、鍔状リブ１５を上方から押すが荷重としては軽いものである。
【００２０】
次に、掃除機本体１の電源コード８をコンセント（図示せず）に差込み、本体スイッチ１０を押して、掃除機本体１に内蔵された電動送風機２を動かし、掃除機本体１の本体ハンドル４を持ってペダル（図示せず）を踏み、吸込口体５のロックを外して掃除機本体１を傾ける。傾けることで、図２（ｂ）に示すような使用状態となる。通常は、持ち手の位置が８０ｃｍであり、掃除機本体１の下方に位置している車輪１１が掃除機本体１と吸込口体５の軸支位置１９を中心に回動し、吸込口体５の軸支位置１９を移動させ、吸込口体５の吸込口体下部材１３と床面が隙間無く接し、回転ブラシ６の植毛１８が絨毯に入り込むように設定されている。
【００２１】
また、バネ部材１７は、掃除機本体１が回動することで枠体１４の位置が軸支位置１９により規制されているため、縮められ、枠体１４を下から押し上げる荷重が増す。枠体１４の軸部１６で上から下への荷重に換え、吸込口体５の回転ブラシ６に荷重がかかるように鍔状リブ１５を上方から押す。
【００２２】
作用としては、使用状態で吸込口体５が軽くなり、また、回転ブラシ６の回転が速くなったために絨毯の中に回転ブラシ６の植毛１８が入りにくくなっても、吸込口体５の回転ブラシ６に荷重がかかるように鍔状リブ１５を上方から押し、回転ブラシ６の植毛１８が十分絨毯内に入るようにし、さらに吸込口体５を絨毯に強く押し当てることで、電動送風機２の吸引力が他に漏れることなく絨毯からの集塵性能を上げることができる。
【００２３】
以上のように本実施の形態１をとることにより、回転ブラシ６の植毛１８を絨毯内に入り込ませ、また、吸込口体５と絨毯の間に隙間を設けず、電動送風機２の吸引力が他に漏れることがないため絨毯からの塵埃除去性能を向上させることができ性能のよいアップライト型電気掃除機を提供することができる。
【００２４】
（実施の形態２）
図３は、本発明の実施の形態２におけるアップライト型電気掃除機の要部断面図である。なお、上記実施の形態１におけるアップライト型電気掃除機と同一部品については、同一符合を付してその説明を省略する。
【００２５】
本実施の形態におけるアップライト型電気掃除機の枠体１４は、図３に示すように、板金部品２１を軟質部材２０で覆った構成になっている。
【００２６】
以上のように構成された本実施の形態におけるアップライト型電気掃除機の動作、効果を説明すると、アップライト型電気掃除機を家庭内で運転すると、家具等に吸込口体５が当るが、枠体１４が吸込口体５より外に出ているため軟質部材２０が家具等に当るため、傷等が付きにくい。また、枠体１４の内部を板金部品２１にしているため荷重がかかった際に枠体１４が変形することなく、荷重を鍔状リブ１５に伝えることができる。
【００２７】
軟質部材２０は、家具等が当る外周だけで、鍔状リブ１５と当たるところは軟質部材２０を外して直に当てる、あるいは、掃除機本体１のバネ部材１７と当るところも軟質部材２０を外す等して荷重の伝わり方をさらによくすることは可能である。
【００２８】
以上のように本実施の形態におけるアップライト型電気掃除機は、掃除中に吸込口体５より外に張り出している枠体１４が家具等へ当るが、軟質部材２０が当るため傷等をつけることが無く、また、内部を板金部品２１にすることにより枠体１４に荷重がかかっても変形することなく力をかけることができ性能を確保したアップライト型電気掃除機を提供することができる。
【００２９】
（実施の形態３）
図４は、本発明の実施の形態３におけるアップライト型電気掃除機の吸込口体の要部斜視図である。なお、上記実施の形態におけるアップライト型電気掃除機と同一部品については、同一符合を付してその説明を省略する。
【００３０】
図４は、本実施の形態におけるアップライト型電気掃除機の枠体１４のバネ部材１７から荷重を受けるところを２箇所示している。
【００３１】
以上のように構成された本実施の形態におけるアップライト型電気掃除機の動作、効果を説明すると、掃除機本体１のバネ部材１７の構成できるところは掃除機本体１の軸支位置１９を中心に回動で同じ距離になるところに限られており、吸込口体５の構成、重さによりバネ部材１７の荷重を設定しないといけないが、軽い場合には、バネ部材１７を複数にしてさらに枠体１４の荷重を受けるところを同様に増して、荷重を増やすことができる。
【００３２】
以上のように本実施の形態によれば、バネ部材１７を複数にすることで、吸込口体５の軽いもので荷重をさらにかける必要があるものに対しても対応でき、性能を確保したアップライト型電気掃除機を提供することができる。
【産業上の利用可能性】
【００３３】
以上のように、本発明に係るアップライト型電気掃除機は、吸込口体５から枠体１４を掃除機本体１のバネ部材１７につなぎ、掃除機本体を操作することにより吸込口体５の鍔状リブにバネ部材１７で発生した荷重を枠体１４でかけることにより、集塵性能がよく、一般家庭用のアップライト型電気掃除機のみならず、産業用のアップライト型電気掃除機にも広範囲に利用することができる。
【符号の説明】
【００３４】
１  掃除機本体
２  電動送風機
３  集塵室
５  吸込口体
６  回転ブラシ
１１  車輪
１４  枠体
１５  鍔状リブ
１６  軸部
１７  バネ部材
２０  軟質部材
２１  板金部品
【図１】
2014100278.tif 000003
【図２】
2014100278.tif 000004
【図３】
2014100278.tif 000005
【図４】
2014100278.tif 000006